(57)【要約】【課題】表示パネルに付着した電荷をグランドレベルに逃がし、外装部材に強い圧力が加わった場合の表示パネルの破損や表示不良を回避する。【解決手段】電子機器は、導電性を有するシャーシ１０と外装部材１，２との間に配置された表示パネル６と、導電性を有する材料で形成され、表示パネル６を保持するフレーム５，８と、フレームの外周部に沿って配置され、表示パネル及びフレームよりも外装部材側にて外装部材に当接する補強部材９とを有する。フレームは、シャーシと補強部材との間に挟み込まれる延出部８ａを有する。シャーシは突出部１０ｂを有し、補強部材と突出部は係合機構９ａ，１０ａを有する。補強部材は、弾性変形した状態でフレームの外周部に沿って配置され、該弾性変形により生じた力で係合機構の係合を保持する。外装部材とフレームとの間には、該フレームをシャーシに押し付ける弾性部材４が配置されている。【選択図】図８
2010186057.tif 000002
【特許請求の範囲】
【請求項１】
導電性を有する材料で形成されるシャーシと、
該シャーシを覆う外装部材と、
前記シャーシと前記外装部材との間に配置された表示パネルと、
導電性を有する材料で形成され、前記表示パネルを保持することで、前記表示パネルのパネル表面と電気的に接続されるフレームと、
前記シャーシと前記外装部材との間において前記フレームの外周部に沿って配置され、前記表示パネル及び前記フレームよりも前記外装部材側において該外装部材に当接する補強部材とを有し、
前記フレームは、前記シャーシと前記補強部材との間に挟み込まれる延出部を有し、
前記シャーシは、前記外装部材に向かって突出する突出部を有し、
前記補強部材と前記突出部は、互いに係合する係合機構を有しており、
前記補強部材は、弾性変形した状態で前記フレームの外周部に沿って配置され、該弾性変形により生じた力で前記係合機構の係合を保持し、
前記外装部材と前記フレームとの間には、該フレームを前記シャーシに押し付ける弾性部材が配置されていることを特徴とする電子機器。
【請求項２】
前記補強部材は、角部の角度が９０度より大きい第１の角度に設定されるＬ字形状を有し、前記フレームの外周部に沿って配置される際に該角部の角度が前記第１の角度より９０度に近い第２の角度になるように弾性変形されることを特徴とする請求項1に記載の電子機器。
【請求項３】
前記補強部材は、角部の角度が９０度より小さい第１の角度に設定されるＬ字形状を有し、前記フレームの外周部に沿って配置される際に該角度が前記第１の角度よりも９０度に近い第２の角度になるように弾性変形されることを特徴とする請求項1に記載の電子機器。
【請求項４】
前記補強部材は、Ｌ字形状の端部で前記フレームの前記延出部を挟み込むことを特徴とする請求項２又は３に記載の電子機器。
【請求項５】
前記表示パネルは、ノーマリブラック型の液晶パネルであることを特徴とする請求項１から４のいずれか１つに記載の電子機器。
【発明の詳細な説明】
【技術分野】
【０００１】
本発明は、液晶パネル等の表示パネルを備えた電子機器に関し、特に表示パネルの保持構造に関する。
【背景技術】
【０００２】
デジタルカメラ等の電子機器に搭載される表示パネルには、液晶パネルや有機ＥＬパネル等がある。例えば、液晶パネルでは、ダイナミックレンジを拡大するために、無通電時に透過率又は反射率が最小となり、液晶表示部が黒くなるノーマリブラック型の液晶パネルが用いられることが多い。
このようなノーマリブラック型の液晶パネルの表面に電荷（静電気）が付着すると、液晶分子が動いて白い斑が出現する等の表示不良が発生するため、付着した電荷を電子機器のグランドレベルに逃がすルートを確保する必要がある。
電荷を逃がすルートを確保する方法の１つとして、電子機器のＣＰＵ等が実装された基板のグランドパターンに接続された金属製のシャーシに対して、液晶パネルの液晶表示部をビスによって固定するという方法がある。ただし、液晶表示部を金属製のシャーシにビスで固定するためには、液晶表示部に設けられた偏光板に穴を形成する必要があり、ビスを締め込む際に偏光板が割れるおそれがある。
また、電子機器内において液晶パネルを確実に保持しようとして液晶パネルに部分的に圧力が加わると、液晶表示部の一部に色むらが発生し易い。
さらに、グランド接続のため液晶表示部のガラス面に金属フレームに形成された突起を接触させている電子機器がある。このような電子機器において外部から強い圧力が加わり、外装部材の変形とともに金属フレームにおける突起付近が大きく変形すると、突起がガラス面に点や線で押し付けられてガラス面に応力集中が生じ、ガラス面が破損するおそれがある。
従来の液晶パネルの保持構造としては、特許文献１，２にて開示されたものがある。特許文献１の保持構造では、液晶パネルを支持する支持プレートに液晶パネルの側面を押し付けることにより該液晶パネルの位置決めを行う位置決め部材と、該位置決め部材に液晶パネルを押し付ける弾性部材とが設けられている。この保持構造では、液晶パネルの側面を押さえるため、液晶パネルに無理な圧力が加わりにくく、色むらは発生しにくい。
また、特許文献２の保持構造では、開口部を有する外装部材内に基板を配置し、該基板と外装部材との間に液晶パネルを配置する。外装部材と液晶パネルとの間、及び液晶パネルと基板との間にクッションをそれぞれ配置して、表示パネルを外装部材と基板とで挟持する。この保持構造でも、液晶パネルの表面を弾性体であるクッションで押さえて液晶パネルを固定するので、色むらは発生しにくい。
【先行技術文献】
【特許文献】
【０００３】
【特許文献１】特開平０５−３３４８６４号公報
【特許文献２】特開平０９−２８３９５０号公報
【発明の概要】
【発明が解決しようとする課題】
【０００４】
しかしながら、特許文献１の保持構造では、液晶パネルの側面を押さえるだけで液晶パネルを固定するので、電子機器に落下等による衝撃が加わった場合に、液晶パネルが外れやすい。
また、特許文献２の保持構造では、外装部材にクッションを介して液晶パネルを取り付けるので、外装部材に傷や汚れが付いただけで損品となり、歩留まりが悪くなる。
これらの問題は、液晶パネル以外の表示パネルを用いた場合でも生じ得る。
本発明は、表示パネルに付着した電荷をグランドレベルに逃がすことができ、かつ外装部材に強い圧力が加わった場合の表示パネルの破損や表示不良を回避できるようにした保持構造を有する電子機器を提供する。
【課題を解決するための手段】
【０００５】
本発明の一側面としての電子機器は、導電性を有する材料で形成されるシャーシと、該シャーシを覆う外装部材と、シャーシと外装部材との間に配置された表示パネルと、導電性を有する材料で形成され、表示パネルを保持することで、表示パネルのパネル表面と電気的に接続されるフレームと、シャーシと外装部材との間においてフレームの外周部に沿って配置され、表示パネル及びフレームよりも外装部材側において該外装部材に当接する補強部材とを有する。フレームは、シャーシと補強部材との間に挟み込まれる延出部を有する。シャーシは、外装部材に向かって突出する突出部を有する。補強部材と突出部は、互いに係合する係合機構を有する。そして、補強部材は、弾性変形した状態でフレームの外周部に沿って配置され、該弾性変形により生じた力で係合機構の係合を保持する。さらに、外装部材とフレームとの間には、該フレームをシャーシに押し付ける弾性部材が配置されていることを特徴とする。
【発明の効果】
【０００６】
本発明によれば、弾性部材によって、表示パネルを保持するフレームをシャーシに押し付けることで、表示パネルに付着した電荷をフレームを介してシャーシ（グランドレベル）に逃がすことができる。しかも、フレームに設けられた延出部を補強部材とシャーシとの間に挟み込み、かつ補強部材の弾性変形により発生した力を利用して係合機構の係合を保持する。これにより、外装部材に強い圧力が加わった場合でも表示パネルの破損や表示不良を回避することができるとともに、ビスを用いなくても又は少ない数のビスを用いるだけで表示パネルをシャーシに対して固定することができ、組み立て性を向上させることができる。
【図面の簡単な説明】
【０００７】
【図１】本発明の実施例であるカメラの液晶パネルの保持構造の正面図。
【図２】上記保持構造を正面側から見たときの分解斜視図。
【図３】上記保持構造の横断面図。
【図４】上記保持構造を裏面側から見たときの分解斜視図。
【図５】上記保持構造の上フレームと下フレームの斜視図。
【図６】上記保持構造のメインシャーシと補強部材の斜視図。
【図７】上記カメラの斜視図。
【図８】図３の部分拡大図。
【発明を実施するための形態】
【０００８】
以下、本発明の好ましい実施例について図面を参照しながら説明する。
図７には、本発明の実施例である電子機器としてのコンパクトデジタルカメラ（撮像装置：以下、カメラという）の背面側の外観を示している。カメラの前面側には、図示しない撮影レンズ、光学ファインダの対物窓、測光窓及びフラッシュ発光窓等が配置されている。
また、カメラの内部には、図示はしないが、カメラ全体の動作を制御するＣＰＵや、撮影レンズにより形成された被写体像を光電変換するＣＣＤセンサ等の撮像素子や、撮像素子からの出力信号を用いて画像データを生成する画像処理回路が収容されている。また、カメラの動作に必要な電源を供給するバッテリや、画像データを記録する半導体メモリ等の記録媒体が着脱可能に収容されている。さらに、カメラ内には、カメラの本体をなし、撮像素子、レンズ鏡筒、ＣＰＵ、液晶パネル及びバッテリ収納部等の部品の保持ベースとなるメインシャーシが配置されている。
図７において、１はカメラの外装部材の１つであるリアカバーであり、上述したメインシャーシやこれに保持された部品を覆っている。２は表示窓を構成する外装部材の１つである透明な保護板であり、後述する液晶パネルの表示面を覆っている。保護板は、リアカバー１に形成された開口部に取り付けられている。以下の説明において、リアカバー１と保護板２をまとめて外装部材ともいう。
図１、図２、図３、図４、図５、図６及び図８には、本実施例のカメラにおける液晶パネルの保持構造を示している。
１０は前述したメインシャーシであり、導電性を有する材料である金属板により形成されている。
前述した保護板２は、その外周部においてリアカバー１に形成された開口部の周囲の裏面に両面テープ３により貼り付けられている。
４はスポンジやゴム等の弾性部材であり、矩形の枠形状に形成されている。該弾性部材４は、不図示の両面テープによって保護板２の外周部の裏面に貼り付けられている。
６はメインシャーシ１０と外装部材（リアカバー１及び保護板２）との間に配置された液晶パネル（表示パネル）である。該液晶パネル６の液晶表示部には、不図示の偏光板が設けられている。本実施例の液晶パネル６は、ノーマリブラック型の透過型液晶パネルである。また、液晶パネル６の裏面側には、ＬＥＤを光源として、液晶表示部を裏面側から照明するバックライトユニット７が配置されている。
５は上フレームであり、液晶パネル６の液晶表示部（表示面）よりも外側のパネル外周部を外装部材側から覆うように配置され、後述する下フレームとともに液晶パネル６とバックライトユニット７を保持する。８は液晶パネル６の裏面側（メインシャーシ側）に配置された下フレームである。これら上フレーム５と下フレーム８は、導電性を有する材料である金属板の曲げ加工等により矩形枠形状に形成されている。以下の説明において、上フレーム５と下フレーム８をまとめてフレームともいう。
上フレーム５と下フレーム８とは、それぞれに形成された爪部５ａ，８ｂが緩く係合することで組み合わせられる。このとき、上フレーム５は液晶パネル６のパネル外周部と接触することで、上フレーム５と液晶パネル６のパネル表面は電気的に接続される。そして、上フレーム５と下フレーム８とは爪部５ａ，８ｂが緩く係合することで電気的に接続される。
メインシャーシ１０には、外装部材に向かって突出するように折り曲げ形成された突出部としての折り曲げ部１０ｂが、フレームの矩形の外周部のうち互いに隣り合う１つの長辺と１つの短辺に沿って複数形成されている。各折り曲げ部１０ｂには、係合機構の一部を構成する穴部１０ａが形成されている。
９は補強部材である。該補強部材９は、Ｌ字形状を有し、上述したフレームの外周部の長辺と短辺に沿って配置される。補強部材９は、メインシャーシ１０とリアカバー１との間に配置され、液晶パネル６及びフレームよりも外装部材側において、リアカバー１に当接する。また、補強部材９の外面には、係合機構の一部を構成する突起９ａが複数形成されている。
下フレーム８には、メインシャーシ１０と補強部材９との間に形成された隙間（補強部材９に形成された凹部）９ｄを通ってこれらの外側に延びる延出部８ａが形成されている。延出部８ａにおけるメインシャーシ１０と補強部材９の外側に延出した先端部分は、該先端部分に形成された穴がメインシャーシ１０に形成したダボ部１０ｃに嵌合する。これによって、液晶パネル６とバックライトユニット７を保持した上フレーム５及び下フレーム８は、メインシャーシ１０に対して位置決めされている。このとき、下フレーム８はメインシャーシ１０に対して電気的に接続される。
本実施例のカメラは、リアカバー１を取り付けることで、弾性部材４が上フレーム５を押圧して、液晶パネル６およびバックライトユニット７を固定している。したがって、リアカバー１を取り付ける前には、何らかの方法で液晶パネル６およびバックライトユニット７を仮保持する必要がある。そこで、本実施例のカメラでは、液晶パネル６とバックライトユニット７を保持した上フレーム５及び下フレーム８をメインシャーシ１０組み付けた後、補強部材９をメインシャーシ１０に組み付けることで、これらを仮保持している。
具体的には、メインシャーシ１０と補強部材９との間の隙間９ｄの高さは、補強部材９によって延出部８ａをメインシャーシ１０に押し付けることができる、すなわち補強部材９とメインシャーシ１０との間で挟み込むことができる高さに設定されている。
また、補強部材９は、メインシャーシ１０に対して組み込まれる前には、Ｌ字形状における角部の角度が９０度より大きい角度（第１の角度）に設定されている。そして、補強部材９は、メインシャーシ１０に組み込まれるときに該角部の角度がそれよりも９０度に近い角度（ほぼ９０度：第２の角度）になるように弾性変形された状態で、フレームとメインシャーシ１０の複数の折り曲げ部１０ｂとの間に配置される。補強部材９には、その弾性によって、上記角度が広がる方向に戻ろうとする力が発生する。このため、補強部材９に形成された各突起９ａをメインシャーシ１０の各折り曲げ部１０ｂに形成された穴部１０ａに挿入すると、各突起９ａは常に各穴部１０ａにより深く挿入される方向に付勢される。これにより、突起９ａと穴部１０ａとにより構成される係合機構の係合が保持（維持）される。
このように、本実施例では、下フレーム８に設けられた延出部８ａを補強部材９とメインシャーシ１０との間に挟み込み、かつ補強部材９の弾性変形により発生した力を利用して補強部材９とメインシャーシ１０間に形成された係合機構の係合を保持する。このため、補強部材９を組み付けるだけで液晶パネル６、バックライトユニット７及びフレームをメインシャーシ１０に対して仮保持することができ、カメラの組み立て性を向上させることができる。
本実施例では、補強部材９に突起９ａを形成し、メインシャーシ１０の折り曲げ部１０ｂに該突起９ａが挿入される穴部１０ａを形成した場合について説明したが、補強部材９に穴部を形成し、メインシャーシ１０の折り曲げ部１０ｂに突起を形成してもよい。
また、本実施例では、補強部材９をその角部が９０度より大きい状態からそれよりも小さい角度になるように弾性変形させてメインシャーシ１０に組み付ける場合について説明した。しかし、補強部材をその角部が９０度より小さい角度（第１の角度）からそれよりも９０度に近い角度（ほぼ９０度：第２の角度）になるように弾性変形させてメインシャーシ１０に組み付けてもよい。この場合、補強部材にはその角部が狭まる方向に戻ろうとする力が発生するため、補強部材をメインシャーシ１０の折り曲げ部１０ｂの外側に配置して、上記係合機構の係合が保持されるようにすればよい。
リアカバー１を組み付けると、前述した弾性部材４は、外装部材（保護板２）と上フレーム５との間に圧縮された状態で配置され、その反発力によって液晶パネル６を保持したフレーム（下フレーム８）をメインシャーシ１０に押し付ける。上フレーム５は、金属板により形成された平面精度の高い部材である。そして、弾性部材４は、液晶パネル６の液晶表示部よりも外側のパネル外周部に当接する上フレーム５を均等な圧力でメインシャーシ１０に向けて押し付けている。
これにより、下フレーム８はメインシャーシ１０に対して均等な押圧力で接触し、上フレーム５及び下フレーム８を介して液晶パネル６をメインシャーシ１０に確実に電気的に接続することができる。したがって、液晶パネル６（液晶表示部）に付着した電荷をメインシャーシ１０、すなわちグランドレベルに逃がすことができる。
また、このような構成により、保護板２やリアカバー１に外部から力が加わっても、その力は弾性部材４からフレームにて分散されてメインシャーシ１０により受け止められたり、補強部材９を介してメインシャーシ１０により受け止められたりする。これにより、ノーマリブラック型の液晶パネル６において、液晶表示部の一部が白くなる白点現象や色むら等の表示不良の発生を抑制することができる。また、液晶パネル６の破損（例えば、液晶表示部に設けられているガラスの割れ）の可能性を低くすることができる。
なお、本実施例では、ノーマリブラック型の液晶パネルを用いた場合について説明したが、本発明は、ノーマリホワイト型の液晶パネルを用いた場合にも適用することができる。また、液晶パネル以外の表示パネル（有機ＥＬパネル等）を用いた場合にも、本発明を適用することができる。
【０００９】
さらに、本実施例では、コンパクトデジタルカメラについて説明したが、本発明は、一眼レフデジタルカメラ、ビデオカメラ等の撮像装置としての光学機器にも適用することができる。また、撮像装置以外の様々な電子機器であって表示パネルを有するものにも、本発明を適用することができる。
以上説明した各実施例は代表的な例にすぎず、本発明の実施に際しては、各実施例に対して種々の変形や変更が可能である。
【産業上の利用可能性】
【００１０】
表示パネルに付着した電荷をグランドレベルに逃がすことができ、かつ外装部材に強い圧力が加わった場合の表示パネルの破損や表示不良を回避できるようにした保持構造を有する電子機器を実現できる。
【符号の説明】
【００１１】
１  リアカバー
２  保護板
４  弾性部材
５  上フレーム
６  液晶パネル
７  バックライトユニット
８  下フレーム
８ａ  延出部
９  補強部材
９ａ  突起
１０  メインシャーシ
１０ａ  穴部
１０ｂ  折り曲げ部
１０ｃ  ダボ部
【図１】
2010186057.tif 000003
【図２】
2010186057.tif 000004
【図３】
2010186057.tif 000005
【図４】
2010186057.tif 000006
【図５】
2010186057.tif 000007
【図６】
2010186057.tif 000008
【図７】
2010186057.tif 000009
【図８】
2010186057.tif 000010